(57)【要約】【課題】投入口の近傍に照明ユニットが配置された郵便受けにおいて、照明ユニットの取り付け又は取り外しの作業性を向上できる郵便受けを提供する。【解決手段】本発明の郵便受け１は、投入口４５の開口縁部の裏側に設けられた照明ユニット６と、この照明ユニット６を取り付けるための取付部８とを備える。取付部８は、照明ユニット６を取り付けた状態と照明ユニット６を取り外し可能な状態とに切り替え可能に構成されている。そして、取付部８は、この切り替え操作が、投入口４５を通して操作可能である。【選択図】図８
2015213707.tif 000002
【特許請求の範囲】
【請求項１】
投入口が設けられた郵便受けであって、
前記投入口の開口縁部の裏側に設けられた照明ユニットと、
この照明ユニットを前記投入口の前記開口縁部の裏側に取り付けるための取付部と
を備え、
前記取付部は、前記照明ユニットを取り付けた状態と前記照明ユニットを取り外し可能な状態とに切り替え可能に構成されており、この切り替え操作が、前記投入口を通して操作可能である
ことを特徴とする郵便受け。
【請求項２】
前記照明ユニットが前記投入口に挿通可能な大きさに形成されている
ことを特徴とする請求項１記載の郵便受け。
【請求項３】
前記取付部は、前記照明ユニットを取り付けた状態に切り替えられると、前記照明ユニットの配線が前記投入口から露出する位置に移動するのを規制する配線誘導部を有する
ことを特徴とする請求項１または請求項２に記載の郵便受け。
【請求項４】
前記照明ユニットは、
前記投入口の上縁部の裏側に水平状態で配置される導光棒と、
この導光棒の端面から光を入射させる光源部と
を備えている
ことを特徴とする請求項１〜３のいずれか一項に記載の郵便受け。
【請求項５】
外部の明るさを検知するセンサーをさらに備え、このセンサーに基づいて前記照明ユニットを制御する
ことを特徴とする請求項１〜４のいずれか一項に記載の郵便受け。
【発明の詳細な説明】
【技術分野】
【０００１】
本発明は、郵便受けに関する。
【背景技術】
【０００２】
特許文献１には、従来の郵便受けが開示されている。この特許文献１記載の郵便受け（特許文献１では郵便受箱）は、郵便受箱本体の前面に投函口が設けられている。投函口の上縁部の裏側には光源が設けられている。
【先行技術文献】
【特許文献】
【０００３】
【特許文献１】特開２００１−８７１１９号公報
【発明の概要】
【発明が解決しようとする課題】
【０００４】
ところで、従来の郵便受箱において、光源の交換や修理等のメンテナンスを行う場合、ユーザーや作業者は、背面に設けられた取出口から手を通して作業する必要がある。しかしながら、この従来の郵便受箱は、光源が投函口近傍に配置されており、取出口から離れているため、作業しにくいという問題がある。
【０００５】
本発明は、上記事情に鑑みてなされたものであり、その目的とするところは、投入口の近傍に照明ユニットが配置された郵便受けにおいて、照明ユニットの取り付け又は取り外しの作業性を向上できる郵便受けを提供することにある。
【課題を解決するための手段】
【０００６】
本発明の郵便受けは、投入口が設けられた郵便受けであって、前記投入口の開口縁部の裏側に設けられた照明ユニットと、この照明ユニットを前記投入口の前記開口縁部の裏側に取り付けるための取付部とを備え、前記取付部は、前記照明ユニットを取り付けた状態と前記照明ユニットを取り外し可能な状態とに切り替え可能に構成されており、この切り替え操作が、前記投入口を通して操作可能であることを特徴とする。
【発明の効果】
【０００７】
本発明の郵便受けによれば、投入口の近傍に照明ユニットが配置された郵便受けにおいて、照明ユニットの取り付け又は取り外しの作業性を向上させることができる。
【図面の簡単な説明】
【０００８】
【図１】本実施形態の郵便受けの使用状態を示す正面図である。
【図２】本実施形態の郵便受けの斜視図である。
【図３】本実施形態の郵便受けの断面図である。
【図４】本実施形態の口枠部の後方から見た分解斜視図である。
【図５】本実施形態の照明ユニットの分解斜視図である。
【図６】本実施形態の口枠部の後方から見た斜視図である。
【図７】本実施形態の取付部の斜視図である。
【図８】本実施形態の郵便受けの取付部と投入口との位置関係を示す要部斜視図である。
【図９】本実施形態の取付部の動作を説明するための図であり、郵便受け本体側から見た要部斜視図である。
【図１０】本実施形態の取付部の動作を説明するための図であり、郵便受け本体側から見た要部斜視図である。
【図１１】本実施形態の郵便受け本体の内部を示す斜視図である。
【図１２】本実施形態の郵便受けの斜視図である。
【図１３】本実施形態の郵便受け本体の別の使用例を示す正面図である。
【図１４】変形例の郵便受けの斜視図である。
【発明を実施するための形態】
【０００９】
以下、本発明の実施形態について添付図面に基づいて説明する。
【００１０】
本実施形態の郵便受け１は、図１に示すように、住宅家屋の外構用の門柱９１に埋め込まれるようにして取り付けられる。本実施形態の外構は、いわゆるオープン外構である。なお、外構として、いわゆるクローズ外構が用いられてもよい。
【００１１】
郵便受け１は、図２に示すように、郵便受け本体２と、前端部に投入口４５を有する口枠部４とを備えている。また、郵便受け１は、図３に示すように、口枠部４に取り付けられた照明ユニット６と、照明ユニット６を制御する制御部１１とを備えている。
【００１２】
郵便受け本体２は、図２に示すように、天面部２１・一対の側面部２０・底面部２２・正面部２３・背面部２４を有する直方体状（ここで言う「直方体」は「立方体」を含む）の箱形をしている。
【００１３】
以下においては、背面部２４から正面部２３に向かう方向を前方向（前方）とし、正面部２３から背面部２４に向かう方向を後方向（後方）として定義する。また、一対の側面部２０の対向する方向を左右方向として定義する。
【００１４】
郵便受け本体２の正面部２３には、前開口２５が設けられている。前開口２５は、郵便受け本体２の正面部２３を貫通する。前開口２５は、左右方向に長さを有し、上下方向に幅を有し、正面視矩形状をしている。前開口２５の長さ方向の寸法は、郵便受け本体２の正面部２３の左右方向の長さよりもやや短く形成されている。
【００１５】
郵便受け本体２の背面部２４には、図３に示すように、取出し部２６が設けられている。取出し部２６は、郵便受け本体２の内部の郵便物（投函物）を取り出すために設けられている。すなわち、ユーザーは、取出し部２６によって、郵便受け１に投函された郵便物を取り出すことができる。
【００１６】
取出し部２６は、背面部２４を貫通する取出し開口２７と、取出し開口２７を開閉自在に閉じる扉２８とを有している。取出し開口２７は、背面視矩形状をしている。扉２８の上端には、左右方向に突出する軸部２９が設けられている。軸部２９は、側面部２０に回転自在に支持される。これにより、扉２８は、前後方向に回動自在となっている。
【００１７】
扉２８は、取出し開口２７の後方に配置されており、後方に回転することで、取出し開口２７を開放させる。すなわち、取出し部２６は、扉２８が後方に回転すると、取出し開口２７が開き、扉２８が前方に回転すると（鉛直姿勢になると）、取出し開口２７が閉じる。
【００１８】
また、郵便受け本体２の前開口２５の後方には、フラップ３０が設けられている。フラップ３０は、前開口２５を開閉自在に塞ぐ。フラップ３０は、左右方向に中心軸を有する回動軸３１によって支持される。回動軸３１は、郵便受け本体２に取り付けられる。フラップ３０は、この回動軸３１に回転自在に支持されており、後方に回転することで前開口２５を開き、前方に回転することで前開口２５を閉じる。
【００１９】
口枠部４は、郵便受け本体２の正面部２３に取り付けられる。口枠部４は、正面部２３の前面から前方に向かって突出している。口枠部４は、図２に示すように、天板部４１・底板部４２・一対の側板部４４を有しており、前後方向に開口する筒形状をしている。また、天板部４１は、前端部に垂下片４３を有している。口枠部４の前端部の開口（詳しくは、垂下片４３と一対の側板部４４と底板部４２とで形成された開口）は、郵便受け１の投入口４５となる。
【００２０】
口枠部４は、左右方向に長さを有し、上下方向に幅を有している。口枠部４の長さ方向の寸法は、正面部２３の左右方向の寸法と同じ寸法に形成されている。また、口枠部４は、正面視において、前開口２５の周囲を囲むようにして配置されている。口枠部４の天板部４１の上面は、本体部６８の天面部２１の上面と面一である。また、口枠部４の側板部４４の外側の面は、本体部６８の側面部２０の外側の面と面一である。口枠部４は、例えば、ステンレス等の金属や、合成樹脂等によって形成される。
【００２１】
投入口４５は、フラップ３０が開くと、前開口２５を介して郵便受け本体２の内部に通じる。すなわち、郵便物は、投入口４５を通って投入された後、フラップ３０を後方に押し込んで開放させ、前開口２５を通って、郵便受け本体２の内部に収容される。
【００２２】
口枠部４には、図３に示すように、縦面部５が設けられている。本実施形態の縦面部５は、表札５１であり、前面に氏名が表示される。なお、縦面部５が表札５１として用いられる場合には、縦面部５に氏名を直接表示してもよいし、氏名が記載されたプレートを縦面部５に固定してもよい。
【００２３】
本実施形態の縦面部５は表札５１であるが、例えば、インターフォンを設置するための設置台として用いてもよいし、住所を表示してもよい。また、縦面部５に、液晶ディスプレイを固定して、デジタル画像や文字を表示させてもよい。また、縦面部５を液晶ディスプレイによって構成してもよい。
【００２４】
縦面部５は、口枠部４の内側（天板部４１・底板部４２・一対の側板部４４に囲まれた部分）の下部に設けられている。縦面部５は、正面視において、前開口２５に重ならないように配置される。縦面部５は、左右方向に長さを有し、上下方向に幅を有している。縦面部５の長さ方向の寸法は、口枠部４の内側の左右方向の全長に亙る寸法に形成されている（つまり、縦面部５は、口枠部４の左右方向の全長に亙って設けられている）。また、縦面部５と口枠部４の底面との間には、水抜き用の隙間５２が形成されている。
【００２５】
口枠部４の後部には、図４に示すように、取付用の複数のボス４６が設けられる。複数のボス４６は、口枠部４の角部に設けられている。口枠部４は、郵便受け本体２の正面部２３の後方（つまり郵便受け本体２の内部）から固着具が挿通され、ボス４６にねじ込まれて取り付けられる。
【００２６】
また、口枠部４には照明ユニット６を配置するための収容部４７が設けられている。収容部４７は、垂下片４３の裏側に設けられている。収容部４７は、垂下片４３と、垂下片４３の下端から後方に向かって延出した一対の載置片４８とにより構成される。一対の載置片４８は、垂下片４３の左右方向の両端に設けられる。照明ユニット６は、一対の載置片４８に載置され、垂下片４３の裏側に配置される。これにより、照明ユニット６は、投入口４５の開口縁部の裏側に設けられる。
【００２７】
照明ユニット６は、図３に示すように、口枠部４内の上部に配置されている。照明ユニット６は、縦面部５に向かって発光する。照明ユニット６は、縦面部５よりも前方に配置されている。この照明ユニット６は、図５に示すように、導光棒６１と、光源部６５と、筐体６７とを備えている。
【００２８】
導光棒６１は、左右方向に長く形成されている（つまり、長手方向が口枠部４の左右方向に平行である）。導光棒６１は、投入口４５の上縁部の裏側に水平状態で配置される。導光棒６１の左右方向の端面は入射面６２である。また、導光棒６１の上端には光拡散部６３が設けられており、導光棒６１の下方に臨む面が出射面６４となっている。この出射面６４は、縦面部５に向くように配置される。導光棒６１は、例えば、アクリルによって構成される。なお、光拡散部６３は、例えば、レーザーにより溝加工を施したり、導光パターンを印刷したりすることで形成される。
【００２９】
光源部６５は、導光棒６１の長手方向の端部に設けられる。光源部６５の内部には、基板に実装されたＬＥＤ（Light Emitting Diode）が設けられている。ＬＥＤには配線６６が接続されており、当該配線６６を介して制御部１１に電気的に接続されている。ＬＥＤは制御部１１から電力の供給を受けて発光する。光源部６５の発光方向は、入射面６２に対向する。
【００３０】
なお、本実施形態の光源部６５は、導光棒６１の一方の端部にのみ設けられているが、両端部に設けられてもよい。
【００３１】
筐体６７は、導光棒６１に沿って設けられた本体部６８と、透光板６９と、導光棒６１を支持する支持部７０とを備えている。本体部６８は、下方に開口する断面略Ｃ字状をしている。透光板６９は、本体部６８の下方の開口を塞ぐようにして取り付けられている。支持部７０は、導光棒６１の光源部６５とは反対側の端部に設けられる。導光棒６１は、光源部６５と支持部７０とによって支持される。
【００３２】
なお、図５の符号７１は、導光棒６１から漏れた光を反射させる反射板である。この反射板７１は、必要に応じて使用される。つまり、反射板７１は照明ユニット６に設けられなくてもよい。
【００３３】
光源部６５から発せられた光は、入射面６２から入射し、導光棒６１内において全反射を繰り返しながら導光棒６１の長手方向に沿って進行する。この時、光拡散部６３に反射した光は拡散し、出射面６４から出射する。この出射面６４から出射した光は、透光板６９を透過して縦面部５に向かう。これにより、光源から発せられた光は縦面部５を照らす。
【００３４】
また、照明ユニット６の長さは、投入口４５の長さよりも短い。また照明ユニット６の幅は、投入口４５の幅よりも短い。すなわち、照明ユニット６は、投入口４５に挿通可能な大きさに形成されている。
【００３５】
このような構成の照明ユニット６は、図６に示すように、収容部４７に配置され、取付部８によって収容部４７に保持される。取付部８は、収容部４７内に配置された照明ユニット６の後方への移動を規制し、これにより、照明ユニット６を投入口４５の開口縁部の裏側に取り付ける。また、取付部８は、照明ユニット６を取り付けた状態と、照明ユニット６を取り外し可能な状態とに切り替ることができる。取付部８は、図７に示すように、取付本体８１と、軸支部８３と、操作部８４と、規制凸部８５と、水返し部８６と、配線誘導部８７とを備えている。
【００３６】
取付本体８１は、取付部８の主体を構成する。取付本体８１の前端には、照明ユニット６に当接（当たって接する）または対向する位置規制部８２が設けられる。取付部８は、この位置規制部８２によって、照明ユニット６が口枠部４から脱落するのを防ぐことができる。
【００３７】
軸支部８３は取付本体８１に設けられている。軸支部８３は、楕円形の環状をしており、その内部にボス４６が挿通される。軸支部８３は、ボス４６に回転自在に支持される。
【００３８】
操作部８４は、取付本体８１において、軸支部８３から離れた位置に設けられている。操作部８４は楕円形の環状をしている。ユーザーは、操作部８４に指を引っ掛けて操作することで、取付部８の操作を行うことができる。
【００３９】
規制凸部８５は、取付部８の回転移動を規制する。規制凸部８５は、軸支部８３の外周部から径方向の外側に向かって突出している。口枠部４には規制凸部８５が嵌まり込む規制凹部４９が設けられている（図６参照）。規制凸部８５は、この規制凹部４９に嵌まり込むことで、取付部８が回転するのを規制することができる。
【００４０】
水返し部８６は、取付本体８１から前方に向かって突出する。水返し部８６は、照明ユニット６の下面の一部に接触するように取り付けられる。特に、水返し部８６は、照明ユニット６のうちの光源部６５の下方に配置される。
【００４１】
配線誘導部８７は、取付部８において、操作部８４と軸支部８３との間に設けられる。配線誘導部８７は、図６に示すように、照明ユニット６の配線６６の下方に配置され、これにより、配線６６が露出する位置に移動するのを規制する。つまり、配線誘導部８７は、配線６６が投入口４５から露出するのを防止する。
【００４２】
取付部８は、軸支部８３がボス４６に通された状態で、口枠部４を郵便受け本体２の正面部２３に固定することで、取り付けられる。取付部８は、口枠部４の左右両側の上角部に設けられた一対のボス４６に取り付けられる。
【００４３】
取付部８は、図８に示すように、操作部８４が軸支部８３の下方に位置した状態では、照明ユニット６を取り付け又は取り外しできる状態となる。また、取付部８は、図９に示すように、照明ユニット６が収容部４７に収容された状態で、操作部８４が軸支部８３と同じ高さになるよう上方に回転させ、規制凸部８５を規制凹部４９に向かってスライドさせることができる。これにより、取付部８は、照明ユニット６を保持する状態に切り替えることができる。
【００４４】
照明ユニット６は、次のようにして取り付けられる。図１０に示すように、取付部８が投入口４５の近傍に配置されているため、ユーザーは、投入口４５から手指を挿入して、取付部８の操作を行うことができる。
【００４５】
作業者は、投入口４５から手指を挿入し、取付部８の操作部８４に指を引っ掛けて、操作部８４を下方に回転させる。この状態で、作業者は、照明ユニット６を投入口４５に挿入し、載置片４８と郵便受け本体２の正面部２３との間に通し、収容部４７に収容する（図８参照）。
【００４６】
この状態で作業者は、指を操作部８４に引っ掛けて、操作部８４を上方に回転させる。そして、作業者は、操作部８４を水平方向にスライドさせて、規制凸部８５を規制凹部４９に嵌め込む（図９参照）。これにより、口枠部４の収容部４７への照明ユニット６の取り付けが完了する。
【００４７】
なお、必要に応じて、郵便受け本体２の内部から、ビスなどの固着具を打ち込み、郵便受け本体２と取付部８とを固定してもよい。
【００４８】
また、照明ユニット６が取り付けられた郵便受け１から当該照明ユニット６を取り外すには、次のようにして行う。
【００４９】
作業者は、手指を投入口４５に挿入し、指を操作部８４に引っ掛けて、取付部８を左右方向にスライドさせ、これにより、規制凸部８５を規制凹部４９から外す。次いで、作業者は、操作部８４を下方に回転させる。そして、作業者は、照明ユニット６を掴んで、載置片４８と郵便受け本体２との間を通して、投入口４５から引き出す。
【００５０】
これによって、作業者は、投入口４５を通して照明ユニット６を取り付けたり取り外したりすることができる。
【００５１】
なお、照明ユニット６の配線６６は、口枠部４に取り付けられ、郵便受け本体２に取り付けられると、図１１に示すように配される。郵便受け本体２の上角部には、配線挿通孔３３が設けられる。配線６６は、配線挿通孔３３を通して、フラップ３０の横を通って制御部１１に接続される。
【００５２】
この状態で、配線６６は、図９に示すように、取付部８の配線誘導部８７の上方を通るため、正面視で投入口４５から露出しない。これにより、投入口４５に郵便物を投入しても、配線６６が郵便物に引っかかるのを防ぐことができる。
【００５３】
また、本実施形態の郵便受け１は、図１２に示すように、照度センサー１２が設けられている。照度センサー１２は、外部の明るさを検知する。照度センサー１２は、制御部１１に電気的に接続されている。
【００５４】
制御部１１は、照度センサー１２から外部の明るさの情報を受け取ると、これに基づいて光源部６５を制御する。例えば、制御部１１は、外部が一定以上の照度となると光源部６５を消灯し、外部が一定以下の照度となると光源部６５を点灯させる。これにより、本実施形態の郵便受け１は、照明ユニット６を自動制御することができる。
【００５５】
この照度センサー１２は、郵便受け本体２の一方の側面部２０に取り付けられる。側面部２０は、一部が凹没しており（この凹没した箇所をセンサー配置部１３という）、このセンサー配置部１３に照度センサー１２が取り付けられる。これにより、照度センサー１２は、側面部２０の表面（センサー配置部１３以外の箇所）よりも非突出とすることができる。なお、照度センサー１２は、凹没した箇所に取り付けられていなくてもよい。
【００５６】
このような構成の郵便受け１は、図１に示すように、外構用の門柱９１に埋め込まれるようにして設置される。門柱９１には、図３に示すように、凹所９３と、凹所９３の奥面９４と門柱９１の前面とに開口した取付開口９５とが設けられている。凹所９３は、門柱９１の後面から凹没している。凹所９３は、門柱９１の肉厚の一部を残して形成される。取付開口９５は、正面視において口枠部４の外形と同じ大きさである。取付開口９５の上端面は凹所９３の上端面と同一平面上に位置している。
【００５７】
郵便受け１は、凹所９３の後方から前方に向かって挿入されることで設置される。このとき、口枠部４は、取付開口９５内に挿入される。また、郵便受け本体２の前面は凹所９３の奥面９４に当たり、この状態で、口枠部４の前端は、門柱９１の前面から突出する。
【００５８】
以上、説明したように、本実施形態の郵便受け１は、投入口４５が設けられる。郵便受け１は、投入口４５の開口縁部の裏側に設けられた照明ユニット６と、この照明ユニット６を投入口４５の開口縁部の裏側に取り付けるための取付部８とを備える。取付部８は、照明ユニット６を取り付けた状態と照明ユニット６を取り外し可能な状態とに切り替え可能に構成されている。そして、取付部８は、この切り替え操作が、投入口４５を通して操作可能である。
【００５９】
このように本実施形態の郵便受け１は、投入口４５を通して取付部８の切り替え操作を行うことができるため、照明ユニット６の取り付け又は取り外しの作業性を向上させることができる。
【００６０】
また、本実施形態の照明ユニット６は、投入口４５に挿通可能な大きさに形成されている。
【００６１】
このため、本実施形態の郵便受け１によれば、投入口４５側から取付部８の操作と照明ユニット６の取り付け又は取り外しを行うことができるため、一層、作業性を向上できる。
【００６２】
また、本実施形態の取付部８は、照明ユニット６を取り付けた状態に切り替えられると、照明ユニット６の配線６６が投入口４５から露出する位置に移動するのを規制する配線誘導部８７を有している。
【００６３】
このため、本実施形態の郵便受け１によれば、配線が投入口４５から露出するのを防ぐことができ、郵便物を投入口４５から投入する際に、郵便物に配線６６が引っかかるのを防ぐことができる。
【００６４】
また、本実施形態の照明ユニット６は、投入口４５の上縁部の裏側に水平状態で配置される導光棒６１と、この導光棒６１の端面から光を入射させる光源部６５とを備えている。
【００６５】
このため、本実施形態の郵便受け１によれば、照明ユニット６を長尺にすることができ、つまり、投入口４５に沿った形状にしやすいため、取り付け又は取り外しの作業性を考慮した照明ユニット６とすることができる。
【００６６】
また、本実施形態の郵便受け１は、外部の明るさを検知するセンサー（照度センサー１２）をさらに備え、このセンサーに基づいて前記照明ユニット６を制御する。
【００６７】
このため、本実施形態の郵便受け１によれば、照明ユニット６の点灯または消灯を自動で行うことができる。
【００６８】
なお、本実施形態の郵便受け１は、外構用の門柱９１に埋め込まれて取り付けられていたが、図１３に示すように、ポール９２上に設置されてもよい。
【００６９】
また、本実施形態の口枠部４は、郵便受け本体２に固着具を介して取り付けられたものである。このため、例えば、図１４に示すように、本実施形態の口枠部４を、別の種類の郵便受け本体２に取り付けることも可能である。これにより、商品として在庫管理を行いやすくなる。
【００７０】
なお、本実施形態の郵便受け１は、前開口２５がフラップ３０によって覆われているため、照明ユニット６から発せられる光によって、郵便受け本体２の内部を照らすことができないが、このフラップ３０は設けられなくてもよい。すなわち、照明ユニット６から発せられる光によって、郵便受け本体２の内部を照明してもよい。
【符号の説明】
【００７１】
１      郵便受け
１２    照度センサー
２      郵便受け本体
４      口枠部
４５    投入口
４６    ボス
４７    収容部
４８    載置片
４９    規制凹部
６      照明ユニット
６１    導光棒
６２    入射面
６３    光拡散部
６４    出射面
６５    光源部
６６    配線
６７    筐体
８      取付部
８１    取付本体
８２    位置規制部
８３    軸支部
８４    操作部
８５    規制凸部
８６    水返し部
８７    配線誘導部
【図１】
2015213707.tif 000003
【図２】
2015213707.tif 000004
【図３】
2015213707.tif 000005
【図４】
2015213707.tif 000006
【図５】
2015213707.tif 000007
【図６】
2015213707.tif 000008
【図７】
2015213707.tif 000009
【図８】
2015213707.tif 000010
【図９】
2015213707.tif 000011
【図１０】
2015213707.tif 000012
【図１１】
2015213707.tif 000013
【図１２】
2015213707.tif 000014
【図１３】
2015213707.tif 000015
【図１４】
2015213707.tif 000016
【手続補正書】
【提出日】平成26年6月30日(2014.6.30)
【手続補正１】
【補正対象書類名】明細書
【補正対象項目名】００２０
【補正方法】変更
【補正の内容】
【００２０】
口枠部４は、左右方向に長さを有し、上下方向に幅を有している。口枠部４の長さ方向の寸法は、正面部２３の左右方向の寸法と同じ寸法に形成されている。また、口枠部４は、正面視において、前開口２５の周囲を囲むようにして配置されている。口枠部４の天板部４１の上面は、郵便受け本体２の天面部２１の上面と面一である。また、口枠部４の側板部４４の外側の面は、郵便受け本体２の側面部２０の外側の面と面一である。口枠部４は、例えば、ステンレス等の金属や、合成樹脂等によって形成される。
【手続補正２】
【補正対象書類名】明細書
【補正対象項目名】００３５
【補正方法】変更
【補正の内容】
【００３５】
このような構成の照明ユニット６は、図６に示すように、収容部４７に配置され、取付部８によって収容部４７に保持される。取付部８は、収容部４７内に配置された照明ユニット６の後方への移動を規制し、これにより、照明ユニット６を投入口４５の開口縁部の裏側に取り付ける。また、取付部８は、照明ユニット６を取り付けた状態と、照明ユニット６を取り外し可能な状態とに切り替えることができる。取付部８は、図７に示すように、取付本体８１と、軸支部８３と、操作部８４と、規制凸部８５と、水返し部８６と、配線誘導部８７とを備えている。
【手続補正３】
【補正対象書類名】図面
【補正対象項目名】図２
【補正方法】変更
【補正の内容】
【図２】
2015213707.tif 000017